(57)【特許請求の範囲】
【請求項１】
内容物を収納する充填空間を有し、口部において貼着された密封シートにて該充填空間を液密状態に保持する容器本体と、密封シートを内側に収めて容器本体の口部に固定保持されるオーバーキャップとを備え、
前記オーバーキャップの天面壁部に、内容物の注出口を形成する開口を設け、この開口に、枢動連結部位を支点に振り下ろして該開口の直下に位置する密封シートを押し切る開封刃を配置し、
該開封刃は、密封シートを直接切断する刃部と、この刃部の末端につながる操作片からなり、
前記操作片は、オーバーキャップの天面壁部に連係して開封刃の初期姿勢を維持するストッパーを有し、
前記刃部は、飲み口を形成する開口につながり、前記初期姿勢のまま前記容器本体の傾倒により内容物の排出を可能とする窓孔を有することを特徴とする開封刃を有するオーバーキャップ付き容器。
【請求項２】
前記刃部は、前記窓孔に隣接配置される空気導入孔を有する、請求項１記載の開封刃を有するオーバーキャップ付き容器。
【発明の詳細な説明】
【技術分野】
【０００１】
本発明は、開封刃を有するオーバーキャップ付き容器に関するものであり、該容器の開封時における手指と内容物との接触、飛散を確実に回避しようとするものである。
【背景技術】
【０００２】
コーヒーや紅茶等の飲料では、近年、内容物の味や風味を良好に維持することができる無菌充填システムが採用されてきており、それに用いる容器としては、その本体部分をコップ状とし、その口部にフィルム状の密封シートを貼り付けるとともに、さらに該密封シートを保護するためにその外側にオーバーキャップを装着したものが一般的な構成になっている。
【０００３】
この種の容器は、容器の胴体にストローが備えつけられていて、該ストローを、オーバーキャップに形成されている孔から差し入れ、その先端部で密封シートを突き破ることで容器内の内容物を吸引するようにしている。
【０００４】
また、最近では、ウオーマーにより内容物が加温されるようになってきていることからストローの使用が困難で、オーバーキャップの押し下げ片を利用して密封シートをワンタッチで切り開き、該オーバーキャップに形成された飲み口から直接、内容物を飲むタイプの容器も提案されている（例えば、特許文献１参照）。
【０００５】
ところで、密封シートをワンタッチで切り開くタイプの容器は、押し下げ片を押し込む時の力加減によっては内容物が飛び散ることがあること、また、指先の触れた押し下げ片が内容物に漬かってしまうことに加え、開封の際に指先が内容物に触れてしまうことがあり衛生面においても好ましいものとは言えず、その解決が求められていた。
【特許文献１】特開2004−359314号公報
【発明の開示】
【発明が解決しようとする課題】
【０００６】
本発明の課題は、内容物の飛び散りをなくし、衛生的に開封できる新規なオーバーキャップ付きの容器を提案するところにある。
【課題を解決するための手段】
【０００７】
本発明は、内容物を収納する充填空間を有し、口部において貼着された密封シートにて該充填空間を液密状態に保持する容器本体と、密封シートを内側に収めて容器本体の口部に固定保持されるオーバーキャップとを備え、
前記オーバーキャップの天面壁部に、内容物の注出口を形成する開口を設け、この開口に、枢動連結部位を支点に振り下ろして該開口の直下に位置する密封シートを押し切る開封刃を配置し、
該開封刃は、密封シートを直接切断する刃部と、この刃部の末端につながる操作片からなることを特徴とする開封刃を有することを基本構造とするオーバーキャップ付き容器である。
【０００８】
上記の構成になる容器において本発明は、枢動連結部位を、オーバーキャップと開封刃とを一体連結させたものである。
【０００９】
また、前記操作片には、オーバーキャップの天面壁部に連係して開封刃の初期姿勢を維持するストッパーを設けている。
【００１０】
さらに、前記刃部には、飲み口を形成する開口につながり、前記初期姿勢のまま前記容器本体の傾倒により内容物の排出を可能とする窓孔を設けることができ、この窓孔に隣接させて空気導入孔を形成してもよい。
【発明の効果】
【００１１】
枢動連結部位を支点にして開封刃の操作片を引き上げると、刃部が振り下ろされその直下に位置する密封シートが押し切られることとなり、指先が内容物に触れることはない。
【００１２】
また、刃部の振り下ろしは、操作片により間接的に行うことができるので、力加減の調整が簡単に行え、勢いあまって内容物が飛び散ることがないだけでなく、てこの原理により小さな力で開封が可能となる。
【発明を実施するための最良の形態】
【００１３】
以下、図面を用いて本発明をより具体的に説明する。
図１(a)(b)は本発明に従うオーバーキャップ付き容器の実施の形態を示した平面及び側面図であり、図２は外観斜視図である。
【００１４】
図における１はコップ形状をなす合成樹脂製の容器本体である。この容器本体１は内容物を収納する充填空間ｍを有し、その口部1aのフランジｆに密封シート２が貼着されていて、この密封シート２によって充填空間ｍが液密状態に保持されている。
【００１５】
また、３は密封シート２を内側に収めて容器本体１の口部1aに着脱自在に固定保持されるオーバーキャップである。このオーバーキャップ３は密封シート２に距離を隔てて対面する天面壁部3aと、この天面壁部3aの縁部に一体連結するとともに密封シート２を囲撓する周壁3bからなり、天面壁部3aの中央域にはそれを径方向において二分する区画凹所3a１が設けられている。
【００１６】
また、４は天面壁部3aの区画凹所3a１に設けられた開口であり、この開口４と周壁3bの一部分とで飲み口を形成する。５は開封刃である。開封刃５は刃部5aと、この刃部5aの末端につながる操作片5bからなり、天面壁部3aに一体形成された枢動連結部位5cを支点にして回動させることができるようになっている。
【００１７】
６は開封刃５の操作片5bに設けられた切欠を例として示したストッパーである。このストッパー６は、オーバーキャップ３の区画凹所3a１の立ち上がり壁に設けられた縦リブｒに連係することで該開封刃５を水平姿勢に維持する。開封刃５については、区画凹所3a１の立ち上がり壁に連結片等を介して一体に連結することにより開封明示機能を付与することもできる。
【００１８】
さらに、７は開封刃５の刃部5aに設けられ飲み口を形成する開口につながる窓孔、８は同じく刃部5aに設けられた空気導入孔、そして９はオーバーキャップ３を覆い隠して容器本体１の口部1aに着脱自在に保持される保護カバーである。
【００１９】
容器を開封するには、開封刃５の操作片5bの後端部に指を掛けて引き起こす。そうすると刃部5aは図３に示すように枢動連結部位5cを支点にして振り下ろされ開口４の直下において密封シート２を押し切る。
【００２０】
密封シート２を押し切って容器を開封したのちは、図４に示す如く開封刃５を初期姿勢（水平姿勢）に復帰させ、容器を傾けて内容物を排出する。
【００２１】
開封刃５は内容物を排出する際にオーバーキャップ３から取り外すようにしてもよい。窓孔７や空気導入孔８を設けない場合においても、内容物の排出を可能とするために周壁3bと開封刃５との間には内容物の排出を可能とする隙間を形成しておく。
【００２２】
本発明に従うオーバーキャップ付きの容器は、上述したように刃部5aに触れることなしに容器を開封することができるものであり、開封に際して内容物が指先に触れることがない。
【００２３】
また、刃部5aは操作片5bを介して振り下ろすことになるので、力の加減を調整することが可能であり、勢いあまって内容物が飛び散ることもない。
【００２４】
刃部5aは図３に示すような姿勢で固定しておくことも可能で、この場合には別途にストッパーを設けておく。
【産業上の利用可能性】
【００２５】
開封刃を使って容器を開封する際に生じていた内容物の飛び散りがなく、内容物に触れることのない衛生的にも好ましいオーバーキャップ付きの容器が提供できる。
【図面の簡単な説明】
【００２６】
【図１】本発明に従うオーバーキャップ付き容器の実施の形態を示した図であり、(a)は平面図、(b)は側面図である。
【図２】図１に示した容器の外観斜視図である。
【図３】図１に示した容器の開封要領の説明図である。
【図４】内容物の注出状況を示した図である。
【符号の説明】
【００２７】
１  容器本体
1a  口部
２  密封シート
３  オーバーキャップ
3a  天面壁部
3a１  区画凹所
3b  周壁
４  開口
５  開封刃
5a  刃部
5b  操作片
5c  枢動連結部位
６  ストッパー
７  窓孔
８  空気導入孔
９  保護カバー
ｍ  充填空間
ｆ  フランジ
ｒ  縦リブ
【図１】
0004764218.tif 000002
【図２】
0004764218.tif 000003
【図３】
0004764218.tif 000004
【図４】
0004764218.tif 000005